(57)【要約】  本発明は、ハンドオーバー方法、端末およびネットワーク側装置を開示する。本発明では、端末は、ネットワーク側装置からソースセルを介して送信されたハンドオーバーコマンドを受信し、前記ハンドオーバーコマンドは、アクセス帯域幅情報を含み、端末は、前記アクセス帯域幅情報に従って決定された部分帯域幅（ＢＷＰ）においてターゲットセルにアクセスし、それにより、前記端末を前記ソースセルから前記ネットワーク側のターゲットセルへハンドオーバーできるようにする。この技術的解決策を採用することにより、端末が複数のＢＷＰを有するセルにハンドオーバーされるときのアクセスすべきＢＷＰの選択の問題が解決され、それにより、端末をターゲットセルにハンドオーバーする柔軟性を高め、ユーザ体験を改善する。
2021503846.tif 000002
【特許請求の範囲】
【請求項１】
端末に適用するハンドオーバー方法であって、
ネットワーク側のターゲットセルからソースセルを介して送信されたハンドオーバーコマンドを受信するステップであって、前記ハンドオーバーコマンドは、ターゲットセルのアクセス帯域幅情報を含み、前記アクセス帯域幅情報は、決定された、前記ターゲットセルにアクセスするための部分帯域幅（ＢＷＰ）の情報である、ステップと、
前記ＢＷＰにおいて前記ターゲットセルにアクセスし、前記端末を前記ソースセルから前記ターゲットセルにハンドオーバーすることができるようにするステップと
を有することを特徴とするハンドオーバー方法。
【請求項２】
前記アクセス帯域幅情報は、
前記ターゲットセル内のセルレベルの同期信号ブロック（ＳＳＢ）を含むＢＷＰの情報であり、前記決定されたＢＷＰは、セルレベルのＳＳＢが配置されているＢＷＰであり、または、
前記端末によって構成された測定オブジェクトに関連するＳＳＢが配置されている前記ターゲットセルのＢＷＰの情報であり、前記測定オブジェクトは、ハンドオーバーをトリガーする測定レポートに対応する測定オブジェクトであり、前記決定されたＢＷＰは、前記端末によって構成された測定オブジェクトに関連するＳＳＢが配置されているＢＷＰであり、または、
前記ターゲットセル内のデフォルトＢＷＰの情報であり、前記決定されたＢＷＰは、デフォルトＢＷＰであり、または、
前記ターゲットセル内の指定されたＢＷＰの情報であり、前記決定されたＢＷＰは、前記ハンドオーバーコマンドで明示的に示されるＢＷＰであることを特徴とする請求項１に記載のハンドオーバー方法。
【請求項３】
前記ハンドオーバーコマンドまたは前記アクセス帯域幅情報は、前記決定されたＢＷＰを示すための指示情報をさらに含み、前記指示情報は、前記ＢＷＰに対応するランダムアクセスリソース、ランダムアクセスアンブル、デフォルトＢＷＰリソース位置の明示的または暗黙的な指示情報および指定されたＢＷＰの指示情報のうちの１つまたは複数を含むことを特徴とする請求項１または２に記載のハンドオーバー方法。
【請求項４】
ネットワーク側に適用するハンドオーバー方法であって、
ソースセルを介して端末にハンドオーバーコマンドを送信するステップであって、前記ハンドオーバーコマンドは、ネットワーク側のターゲットセルのアクセス帯域幅情報を含み、前記アクセス帯域幅情報に従って決定された、前記ターゲットセルにアクセスするための部分帯域幅（ＢＷＰ）に基づいて、前記端末に、ターゲットセルにアクセスさせるようにする、ステップと、
前記端末によって送信された前記ターゲットセルにアクセスするためのランダムアクセス要求を前記ＢＷＰを介して受信し、ランダムアクセスプロセスを完了して、前記端末を前記ソースセルから前記ターゲットセルにハンドオーバーすることができるようにするステップと
を有することを特徴とするハンドオーバー方法。
【請求項５】
前記アクセス帯域幅情報は、
前記ターゲットセル内のセルレベルの同期信号ブロック（ＳＳＢ）が配置されているＢＷＰの情報であり、前記決定されたＢＷＰは、セルレベルのＳＳＢが配置されているＢＷＰであり、または、
前記端末によって構成された測定オブジェクトに関連するＳＳＢが配置されている前記ターゲットセルのＢＷＰの情報であり、前記測定オブジェクトは、ハンドオーバーをトリガーする測定レポートに対応する測定オブジェクトであり、前記決定されたＢＷＰは、前記端末によって構成された測定オブジェクトに関連するＳＳＢが配置されているＢＷＰであり、または、
前記ターゲットセル内のデフォルトＢＷＰの情報であり、前記決定されたＢＷＰは、デフォルトＢＷＰであり、または、
前記ターゲットセル内の指定されたＢＷＰの情報であり、前記決定されたＢＷＰは、前記ハンドオーバーコマンドで明示的に示されるＢＷＰであることを特徴とする請求項４に記載のハンドオーバー方法。
【請求項６】
前記ハンドオーバーコマンドまたは前記アクセス帯域幅情報は、前記決定されたＢＷＰを示すための指示情報をさらに含み、前記指示情報は、前記ＢＷＰに対応するランダムアクセスリソース、ランダムアクセスアンブル、デフォルトＢＷＰリソース位置の明示的または暗黙的な指示情報および指定されたＢＷＰの指示情報のうちの１つまたは複数を含むことを特徴とする請求項４または５に記載のハンドオーバー方法。
【請求項７】
メモリ内のプログラムを読み出し、以下のプロセスを実行するように構成されたプロセッサと、
前記プロセッサの制御の下でデータを送受信するように構成された送受信機とを備え、
前記プロセッサは、
端末に、ネットワーク側のターゲットセルからソースセルを介して送信されたハンドオーバーコマンドを受信させるようにし、前記ハンドオーバーコマンドは、ターゲットセルのアクセス帯域幅情報を含み、前記アクセス帯域幅情報は、決定された、前記ターゲットセルにアクセスするための部分帯域幅（ＢＷＰ）の情報であり、
端末に、前記ＢＷＰにおいて前記ターゲットセルにアクセスさせるようにし、前記端末を前記ソースセルから前記ターゲットセルにハンドオーバーすることができるようにすることを特徴とする端末。
【請求項８】
前記アクセス帯域幅情報は、
前記ターゲットセル内のセルレベルの同期信号ブロック（ＳＳＢ）を含むＢＷＰの情報であり、前記決定されたＢＷＰは、セルレベルのＳＳＢが配置されているＢＷＰであり、または、
前記端末によって構成された測定オブジェクトに関連するＳＳＢが配置されている前記ターゲットセルのＢＷＰの情報であり、前記測定オブジェクトは、ハンドオーバーをトリガーする測定レポートに対応する測定オブジェクトであり、前記決定されたＢＷＰは、前記端末によって構成された測定オブジェクトに関連するＳＳＢが配置されているＢＷＰであり、または
前記ターゲットセル内のデフォルトＢＷＰの情報であり、前記決定されたＢＷＰは、デフォルトＢＷＰであり、または、
前記ターゲットセル内の指定されたＢＷＰの情報であり、前記決定されたＢＷＰは、前記ハンドオーバーコマンドで明示的に示されるＢＷＰであることを特徴とする請求項７に記載の端末。
【請求項９】
前記ハンドオーバーコマンドまたは前記アクセス帯域幅情報は、前記決定されたＢＷＰを示すための指示情報をさらに含み、前記指示情報は、前記ＢＷＰに対応するランダムアクセスリソース、ランダムアクセスアンブル、デフォルトＢＷＰリソース位置の明示的または暗黙的な指示情報および指定されたＢＷＰの指示情報のうちの１つまたは複数を含むことを特徴とする請求項７または８に記載の端末。
【請求項１０】
メモリ内のプログラムを読み出し、以下のプロセスを実行するように構成されたプロセッサと、
前記プロセッサの制御の下でデータを送受信するように構成された送受信機とを備え、
前記プロセッサは、
ソースセルを介して端末にハンドオーバーコマンドを送信し、前記ハンドオーバーコマンドは、ネットワーク側のターゲットセルのアクセス帯域幅情報を含み、前記アクセス帯域幅情報に従って決定された、前記ターゲットセルにアクセスするための部分帯域幅（ＢＷＰ）に基づいて、前記端末に、ターゲットセルにアクセスさせるようにし、
前記端末によって送信された前記ターゲットセルにアクセスするためのランダムアクセス要求を前記ＢＷＰを介して受信し、ランダムアクセスプロセスを完了して、前記端末を前記ソースセルから前記ターゲットセルにハンドオーバーすることができるようにすることを特徴とするネットワーク側装置。
【請求項１１】
前記アクセス帯域幅情報は、
前記ターゲットセル内のセルレベルの同期信号ブロック（ＳＳＢ）が配置されているＢＷＰの情報であり、前記決定されたＢＷＰは、セルレベルのＳＳＢが配置されているＢＷＰであり、または、
前記端末によって構成された測定オブジェクトに関連するＳＳＢが配置されている前記ターゲットセルのＢＷＰの情報であり、前記測定オブジェクトは、ハンドオーバーをトリガーする測定レポートに対応する測定オブジェクトであり、前記決定されたＢＷＰは、前記端末によって構成された測定オブジェクトに関連するＳＳＢが配置されているＢＷＰであり、または、
前記ターゲットセル内のデフォルトＢＷＰの情報であり、前記決定されたＢＷＰは、デフォルトＢＷＰであり、または、
前記ターゲットセル内の指定されたＢＷＰの情報であり、前記決定されたＢＷＰは、前記ハンドオーバーコマンドで明示的に示されるＢＷＰであることを特徴とする請求項１０に記載のネットワーク側装置。
【請求項１２】
前記ハンドオーバーコマンドまたは前記アクセス帯域幅情報は、前記決定されたＢＷＰを示すための指示情報をさらに含み、前記指示情報は、前記ＢＷＰに対応するランダムアクセスリソース、ランダムアクセスアンブル、デフォルトＢＷＰリソース位置の明示的または暗黙的な指示情報および指定されたＢＷＰの指示情報のうちの１つまたは複数を含むことを特徴とする請求項１０または１１に記載のネットワーク側装置。
【請求項１３】
ネットワーク側のターゲットセルからソースセルを介して送信されたハンドオーバーコマンドを受信するように構成された受信モジュールであって、前記ハンドオーバーコマンドは、ターゲットセルのアクセス帯域幅情報を含み、前記アクセス帯域幅情報は、前記ターゲットセルにアクセスするために決定された部分帯域幅（ＢＷＰ）の情報である、受信モジュールと、
前記ＢＷＰにおいて前記ターゲットセルにアクセスし、端末を前記ソースセルから前記ターゲットセルにハンドオーバーすることができるようにするように構成されたアクセスモジュールと
を備えることを特徴とする端末。
【請求項１４】
ソースセルを介して端末にハンドオーバーコマンドを送信するように構成された送信モジュールであって、前記ハンドオーバーコマンドは、ネットワーク側のターゲットセルのアクセス帯域幅情報を含み、前記アクセス帯域幅情報に従って決定された、前記ターゲットセルにアクセスするための部分帯域幅（ＢＷＰ）に基づいて、前記端末に、ターゲットセルにアクセスさせるようにする、送信モジュールと、
前記端末によって送信された前記ターゲットセルにアクセスするためのランダムアクセス要求を前記ＢＷＰを介して受信し、ランダムアクセスプロセスを完了して、前記端末を前記ソースセルから前記ターゲットセルにハンドオーバーすることができるようにするように構成された受信モジュールと
を備えることを特徴とするネットワーク側装置。
【請求項１５】
プロセッサが請求項１から６のいずれか一項に記載の方法を実行することを可能にするように構成されたコンピュータ実行可能コマンドを記憶する、コンピュータ可読記憶媒体。
【発明の詳細な説明】
【技術分野】
【０００１】
本出願は、２０１７年１１月１７日に中国特許局に提出し、出願番号が第２０１７１１１４９１１４．２号であり、発明名称が「ハンドオーバー方法、端末およびネットワーク側装置」である中国特許出願を基礎とする優先権を主張し、その開示の総てをここに取り込む。
【０００２】
本発明は、通信技術分野に関し、特にハンドオーバー方法、端末およびネットワーク側装置に関する。
【背景技術】
【０００３】
例えば５ＧまたはＮＲ（Ｎｅｗ ＲＡＴ，新無線アクセス技術、およびＲＡＴ：ｒａｄｉｏ ａｃｃｅｓｓ ｔｅｃｈｎｏｌｏｇｙ，無線アクセス技術）システムにおける新世代無線通信システムでは、ネットワーク帯域幅は端末送信帯域幅よりはるかに大きいかもしれない。ネットワーク側は、ネットワーク側の帯域幅を複数の部分、つまり複数の部分帯域幅（Ｂａｎｄｗｉｄｔｈ Ｐａｒｔ，ＢＷＰ）に分割し、１つ以上のＢＷＰが端末に構成され、ＢＷＰの一部を送信用にアクティブ化できる。端末からは、アクティブ化されたＢＷＰでのみシグナリングとデータを送信できる。
【０００４】
従来のロングタームエヴォリューション（Ｌｏｎｇ Ｔｅｒｍ Ｅｖｏｌｕｔｉｏｎ，ＬＴＥ）システムでは、ネットワーク側のセル帯域幅は、端末の２０ＭＨｚである受信帯域幅以下であり、そのため、ネットワーク側は常にアップリンクおよびダウンリンクの合計帯域幅を端末に対して構成する。端末は全セル帯域幅で動作できる。ＮＲシステムでは、ネットワーク側の帯域幅は４００ＭＨｚにもなり、端末の受信能力よりもはるかに大きくなる。したがって、ＢＷＰの概念が導入される。つまり、ネットワーク側の大きな帯域幅が複数のＢＷＰに分割され、１つ以上のＢＷＰが端末に対して構成され、端末に対して構成された一部のＢＷＰをアクティブして、アップリンクおよびダウンリンク送信に使用できるようにする。アクティブ化されたダウンリンクＢＷＰはａｃｔｉｖｅ ＤＬ（ｄｏｗｎｌｉｎｋ，ダウンリンク）ＢＷＰと呼ばれ、アクティブ化されたアップリンクＢＷＰはａｃｔｉｖｅ ＵＬ（ｕｐｌｉｎｋ，アップリンク）ＢＷＰと呼ばれる。リリースＲ１５では、端末で１時刻にアクティブ化できるＤＬ ＢＷＰとＵＬ ＢＷＰは１つだけであり、非アクティブ化されたＢＷＰは、アップリンクとダウンリンクのシグナリングとデータ送信を実行できない。
【０００５】
ネットワーク側は、複数のＢＷＰを構成し得るが、各ユーザ機器（Ｕｓｅｒ Ｅｑｕｉｐｍｅｎｔ，ＵＥ）について、プライマリセル（Ｐｒｉｍａｒｙ Ｓｅｃｏｎｄａｒｙ Ｃｅｌｌ，ＰＣｅｌｌ）、プライマリセカンダリセル（Ｐｒｉｍａｒｙ Ｓｅｃｏｎｄａｒｙ Ｃｅｌｌ，ＰＳｃｅｌｌ）およびセカンダリセル（Ｓｅｃｏｎｄａｒｙ Ｃｅｌｌ，ＳＣｅｌｌ）は、対応する周波数において別々に関連付けられＳＳＢ（Ｓｙｎｃｈｒｏｎｉｚｅｄ Ｓｉｇｎａｌ Ｂｌｏｃｋ，同期信号ブロック）を有し、セルレベルのＳＳＢとして機能する。当該セルレベルのＳＳＢは、サービングセルの時間基準と、サービングセルの無線リソース管理（ＲａｄｉｏＲｅｓｏｕｒｃｅ Ｍａｎａｇｅｍｅｎｔ，ＲＲＭ）によって測定されたＳＳＢとして機能する。ＵＥの測定中、測定が必要な各ＳＳ ｂｌｏｃｋ周波数は、個別の測定オブジェクト（ｍｅａｓｕｒｅｍｅｎｔ ｏｂｊｅｃｔ）として構成する必要がある。ＵＥが最初にセルにアクセスすると、ＵＥは初期ＢＷＰにアクセスでき、ランダムアクセスプロセスを完了できる。ネットワーク側は、ＵＥに複数のＢＷＰを構成し、デフォルトＢＷＰを構成し、アクティブ化または非アクティブ化するＢＷＰの選択は、最下層で実施され、高層では認識されない。
【０００６】
初期ＢＷＰ（ｉｎｉｔｉａｌ ＢＷＰ）：最初にアクセスする端末の場合、それは、接続確立プロセスを完了するために初期ＢＷＰのみを使用することができる。初期ＢＷＰには、基本的なセルブロードキャストシグナリングとランダムアクセスリソースなどが含まれている。
【０００７】
ネットワーク側の基地局は、接続状態の端末に対してデフォルトＢＷＰを構成することができ、端末は、セル接続の維持、セル測定の実行、ランダムアクセスの開始など、デフォルトＢＷＰに対していくつかの基本的な作業を実行することができる。
【０００８】
構成ＢＷＰ（ｃｏｎｆｉｇｕｒｅｄ ＢＷＰ）：接続状態の単一の端末のためにネットワーク側によって構成されたＢＷＰである。各ＢＷＰは、物理アップリンク制御チャネル（Ｐｈｙｓｉｃａｌ Ｕｐｌｉｎｋ Ｃｏｎｔｒｏｌ Ｃｈａｎｎｅｌ，ＰＵＣＣＨ）構成、半永続的スケジューリング（Ｓｅｍｉ−ｐｅｒｓｉｓｔｅｎｔ Ｓｃｈｅｄｕｌｅ，ＳＰＳ）構成などの異なる構成コンテンツを有することができる。ＤＬ ＢＷＰ（ダウンリンクＢＷＰ）およびＵＬ ＢＷＰ（アップリンクＢＷＰ）は、それぞれ構成できる。
【０００９】
アクティブＢＷＰ（ａｃｔｉｖｅ ＢＷＰ）：端末のためにネットワーク側によって構成されたＢＷＰにおいて、端末は、アップリンクおよびダウンリンク送信のためにアクティブＢＷＰのみを使用する。アクティブＢＷＰは、アクティブＤＬ ＢＷＰとアクティブＵＬ ＢＷＰに分けられる。
【００１０】
ハンドオーバーが実行されると、ＵＥはネットワーク側に測定報告を報告し、ネットワーク側は測定結果を判断することによってハンドオーバーをトリガーし、ソースセルはハンドオーバー準備メッセージを介してＵＥの構成情報をターゲットセルに送信する。ここで、構成情報は、ＵＥ側によって運ばれる構成条件、測定構成などを含む情報を含む。ネットワーク側は、ＵＥの現在の構成を受け入れるか、構成の一部を変更するかを選択できる。または、ネットワーク側が構成情報を解釈して完全な構成を選択できない場合、ソース側は宛先側の再構成メッセージを含むハンドオーバーコマンドをＵＥに送信する。ハンドオーバーコマンドは、ＵＥがターゲットセルにアクセスするための専用ランダムアクセス構成を含むことができ、それにより、ＵＥは非競合ランダムアクセスプロセスを開始することができる。ＵＥは、ハンドオーバーコマンドを介して、ターゲットセルのランダムアクセス関連構成情報を取得することができる。
【発明の概要】
【発明が解決しようとする課題】
【００１１】
従来技術では、少なくとも以下の技術的問題があり、すなわち、端末をハンドオーバーした場合、ＢＷＰに分割しないセルにしかハンドオーバーすることができず、端末が複数のＢＷＰがあるセルにハンドオーバーされると、複数のＢＷＰがある場合、アクセスされるＢＷＰを選択する問題が発生する。
【課題を解決するための手段】
【００１２】
第１の態様では、本発明の実施形態は、端末に適用するハンドオーバー方法を提供し、当該方法は、
ネットワーク側のターゲットセルからソースセルを介して送信されたハンドオーバーコマンドを受信するステップと、
ＢＷＰにおいて前記ターゲットセルにアクセスし、前記端末を前記ソースセルから前記ターゲットセルにハンドオーバーすることができるようにするステップとを有し、
前記ハンドオーバーコマンドは、ターゲットセルのアクセス帯域幅情報を含み、前記アクセス帯域幅情報は、決定された前記ターゲットセルにアクセスするように構成された決定されたＢＷＰ情報である。
【００１３】
任意選択で、前記アクセス帯域幅情報は、
前記ターゲットセル内のセルレベルのＳＳＢが配置されているＢＷＰの情報であり、前記決定されたＢＷＰは、セルレベルのＳＳＢが配置されているＢＷＰであり、または、
前記端末によって構成された測定オブジェクトに関連するＳＳＢが配置されている前記ターゲットセルのＢＷＰ情報であり、前記測定オブジェクトは、ハンドオーバーをトリガーする測定レポートに対応する測定オブジェクトであり、前記決定されたＢＷＰは、前記端末によって構成された測定オブジェクトに関連するＳＳＢが配置されているＢＷＰであり、または、
前記ターゲットセル内のデフォルトＢＷＰ情報であり、前記決定されたＢＷＰはデフォルトＢＷＰであり、または、
前記ターゲットセル内の指定されたＢＷＰ情報であり、前記決定されたＢＷＰは当該ハンドオーバーコマンドで明示的に示されるＢＷＰである。
【００１４】
任意選択で、前記ハンドオーバーコマンドまたは前記アクセス帯域幅情報は、前記決定されたＢＷＰを示すための指示情報をさらに含み、前記指示情報は、当該ＢＷＰに対応するランダムアクセスリソース、ランダムアクセスアンブル、デフォルトＢＷＰリソース位置の明示的または暗黙的な指示情報および指定されたＢＷＰの指示情報のうちの１つまたは複数を含む。
【００１５】
第２の態様では、本発明の実施形態は、ネットワーク側に適用するハンドオーバー方法を提供する。当該方法は、
ソースセルを介して端末にハンドオーバーコマンドを送信するステップと、
前記端末によって送信されたターゲットセルにアクセスするためのランダムアクセス要求をＢＷＰを介して受信し、ランダムアクセスプロセスを完了して、前記端末を前記ソースセルから前記ターゲットセルにハンドオーバーすることができるようにするステップとを有し、
前記ハンドオーバーコマンドは、ネットワーク側のターゲットセルのアクセス帯域幅情報を含み、前記アクセス帯域幅情報に従って決定された、前記ターゲットセルにアクセスするためのＢＷＰに基づいて、前記端末に、ターゲットセルにアクセスさせるようにする。
【００１６】
任意選択で、前記アクセス帯域幅情報は、
前記ターゲットセル内のセルレベルのＳＳＢが配置されているＢＷＰの情報であり、前記決定されたＢＷＰは、セルレベルのＳＳＢが配置されているＢＷＰであり、または、
前記端末によって構成された測定オブジェクトに関連するＳＳＢが配置されている前記ターゲットセルのＢＷＰ情報であり、前記測定オブジェクトは、ハンドオーバーをトリガーする測定レポートに対応する測定オブジェクトであり、前記決定されたＢＷＰは、前記端末によって構成された測定オブジェクトに関連するＳＳＢが配置されているＢＷＰであり、または、
前記ターゲットセル内のデフォルトＢＷＰ情報であり、前記決定されたＢＷＰはデフォルトＢＷＰであり、または、
前記ターゲットセル内の指定されたＢＷＰ情報であり、前記決定されたＢＷＰは当該ハンドオーバーコマンドで明示的に示されるＢＷＰである。
【００１７】
任意選択で、前記ハンドオーバーコマンドまたは前記アクセス帯域幅情報は、前記決定されたＢＷＰを示すための指示情報をさらに含み、前記指示情報は、当該ＢＷＰに対応するランダムアクセスリソース、ランダムアクセスアンブル、デフォルトＢＷＰリソース位置の明示的または暗黙的な指示情報および指定されたＢＷＰの指示情報のうちの１つまたは複数を含む。
【００１８】
第３の態様では、本発明の実施形態は端末を提供する。前記端末は、
ネットワーク側のターゲットセルからソースセルを介して送信されたハンドオーバーコマンドを受信するように構成された受信モジュールと、
ＢＷＰにおいて前記ターゲットセルにアクセスして、前記端末を前記ソースセルから前記ターゲットセルにハンドオーバーすることができるようにするように構成されたアクセスモジュールとを備え、
前記ハンドオーバーコマンドは、ターゲットセルのアクセス帯域幅情報を含み、前記アクセス帯域幅情報は、前記ターゲットセルにアクセスするために決定されたＢＷＰの情報である。
【００１９】
任意選択で、前記アクセス帯域幅情報は、
前記ターゲットセル内のセルレベルのＳＳＢが配置されているＢＷＰの情報であり、前記決定されたＢＷＰは、セルレベルのＳＳＢが配置されているＢＷＰであり、または、
前記端末によって構成された測定オブジェクトに関連するＳＳＢが配置されている前記ターゲットセルのＢＷＰ情報であり、前記測定オブジェクトは、ハンドオーバーをトリガーする測定レポートに対応する測定オブジェクトであり、前記決定されたＢＷＰは、前記端末によって構成された測定オブジェクトに関連するＳＳＢが配置されているＢＷＰであり、または、
前記ターゲットセル内のデフォルトＢＷＰ情報であり、前記決定されたＢＷＰはデフォルトＢＷＰであり、または、
前記ターゲットセル内の指定されたＢＷＰ情報であり、前記決定されたＢＷＰは当該ハンドオーバーコマンドで明示的に示されるＢＷＰである。
【００２０】
任意選択で、前記ハンドオーバーコマンドまたは前記アクセス帯域幅情報は、前記決定されたＢＷＰを示すための指示情報をさらに含み、前記指示情報は、当該ＢＷＰに対応するランダムアクセスリソース、ランダムアクセスアンブル、デフォルトＢＷＰリソース位置の明示的または暗黙的な指示情報および指定されたＢＷＰの指示情報のうちの１つまたは複数を含む。
【００２１】
第４の態様では、本発明の実施形態はネットワーク側装置を提供し、当該装置は、
ソースセルを介して端末にハンドオーバーコマンドを送信するように構成された送信モジュールと
前記端末によって送信されたターゲットセルにアクセスするためのランダムアクセス要求をＢＷＰを介して受信し、ランダムアクセスプロセスを完了して、前記端末を前記ソースセルから前記ターゲットセルにハンドオーバーすることができるようにするように構成された受信モジュールとを備え、
前記ハンドオーバーコマンドは、ネットワーク側のターゲットセルのアクセス帯域幅情報を含み、前記アクセス帯域幅情報に従って決定された、前記ターゲットセルにアクセスするためのＢＷＰに基づいて、前記端末に、ターゲットセルにアクセスさせるようにする。
【００２２】
任意選択で、前記アクセス帯域幅情報は、
前記ターゲットセル内のセルレベルのＳＳＢが配置されているＢＷＰの情報であり、前記決定されたＢＷＰは、セルレベルのＳＳＢが配置されているＢＷＰであり、または、
前記端末によって構成された測定オブジェクトに関連するＳＳＢが配置されている前記ターゲットセルのＢＷＰ情報であり、前記測定オブジェクトは、ハンドオーバーをトリガーする測定レポートに対応する測定オブジェクトであり、前記決定されたＢＷＰは、前記端末によって構成された測定オブジェクトに関連するＳＳＢが配置されているＢＷＰであり、または、
前記ターゲットセル内のデフォルトＢＷＰ情報であり、前記決定されたＢＷＰはデフォルトＢＷＰであり、または、
前記ターゲットセル内の指定されたＢＷＰ情報であり、前記決定されたＢＷＰは当該ハンドオーバーコマンドで明示的に示されるＢＷＰである。
【００２３】
任意選択で、前記ハンドオーバーコマンドまたは前記アクセス帯域幅情報は、前記決定されたＢＷＰを示すための指示情報をさらに含み、前記指示情報は、当該ＢＷＰに対応するランダムアクセスリソース、ランダムアクセスアンブル、デフォルトＢＷＰリソース位置の明示的または暗黙的な指示情報および指定されたＢＷＰの指示情報のうちの１つまたは複数を含む。
【００２４】
第５の態様では、本発明の実施形態は、コンピュータデバイスを提供し、前記デバイスは、第１または第２の態様の実施形態における方法の動作を、メモリに記憶された１つまたは複数のコンピュータプログラムを実行するときに実施するためのプロセッサを含む。
【００２５】
第６の態様では、本発明の実施形態は、コンピュータ可読記憶媒体を提供し、１つまたは複数のコンピュータプログラムがコンピュータ可読記憶媒体に記憶され、１つまたは複数のコンピュータプログラムがプロセッサによって実行されるとき、第１または第２の態様の実施形態における方法のステップが実施される。
【００２６】
第７の態様では、本発明の実施形態は、端末を提供する。前記端末は、
メモリ内のプログラムを読み出し、以下のプロセスを実行するように構成されたプロセッサと、
プロセッサの制御の下でデータを送受信するように構成された送受信機とを備え、
前記プロセッサは、
端末に、ネットワーク側のターゲットセルからソースセルを介して送信されたハンドオーバーコマンドを受信させるようにし、前記ハンドオーバーコマンドは、ターゲットセルのアクセス帯域幅情報を含み、前記アクセス帯域幅情報は、決定された、前記ターゲットセルにアクセスするための部分帯域幅（ＢＷＰ）情報であり、
端末に、前記ＢＷＰ上で前記ターゲットセルにアクセスさせるようにし、前記端末を前記ソースセルから前記ターゲットセルにハンドオーバーすることができるようにする。
【００２７】
任意選択で、前記アクセス帯域幅情報は、
前記ターゲットセル内のセルレベルの同期信号ブロック（ＳＳＢ）を含むＢＷＰの情報であり、前記決定されたＢＷＰは、セルレベルのＳＳＢが配置されているＢＷＰであり、または、
前記端末によって構成された測定オブジェクトに関連するＳＳＢが配置されている前記ターゲットセルのＢＷＰ情報であり、前記測定オブジェクトは、ハンドオーバーをトリガーする測定レポートに対応する測定オブジェクトであり、前記決定されたＢＷＰは、前記端末によって構成された測定オブジェクトに関連するＳＳＢが配置されているＢＷＰであり、または、
前記ターゲットセル内のデフォルトＢＷＰ情報であり、前記決定されたＢＷＰはデフォルトＢＷＰであり、または、
前記ターゲットセル内の指定されたＢＷＰ情報であり、前記決定されたＢＷＰは当該ハンドオーバーコマンドで明示的に示されるＢＷＰである。
【００２８】
任意選択で、前記ハンドオーバーコマンドまたは前記アクセス帯域幅情報は、前記決定されたＢＷＰを示すための指示情報をさらに含み、前記指示情報は、当該ＢＷＰに対応するランダムアクセスリソース、ランダムアクセスアンブル、デフォルトＢＷＰリソース位置の明示的または暗黙的な指示情報および指定されたＢＷＰの指示情報のうちの１つまたは複数を含む。
【００２９】
第８の態様では、本発明の実施形態はネットワーク側装置を提供する。当該装置は、
メモリ内のプログラムを読み出し、以下のプロセスを実行するように構成されたプロセッサと、
プロセッサの制御の下でデータを送受信するように構成された送受信機とを備え、
前記プロセッサは、
ソースセルを介して端末にハンドオーバーコマンドを送信し、前記ハンドオーバーコマンドは、ネットワーク側のターゲットセルのアクセス帯域幅情報を含み、前記アクセス帯域幅情報に従って決定された、前記ターゲットセルにアクセスするためのＢＷＰに基づいて、前記端末に、ターゲットセルにアクセスさせるようにし、
前記端末によって送信された前記ターゲットセルにアクセスするためのランダムアクセス要求を前記ＢＷＰを介して受信し、ランダムアクセスプロセスを完了して、前記端末を前記ソースセルから前記ターゲットセルにハンドオーバーすることができるようにする。
【００３０】
任意選択で、前記アクセス帯域幅情報は、
前記ターゲットセル内のセルレベルのＳＳＢが配置されているＢＷＰの情報であり、前記決定されたＢＷＰは、セルレベルのＳＳＢが配置されているＢＷＰであり、または、
前記端末によって構成された測定オブジェクトに関連するＳＳＢが配置されている前記ターゲットセルのＢＷＰ情報であり、前記測定オブジェクトは、ハンドオーバーをトリガーする測定レポートに対応する測定オブジェクトであり、前記決定されたＢＷＰは、前記端末によって構成された測定オブジェクトに関連するＳＳＢが配置されているＢＷＰであり、または、
前記ターゲットセル内のデフォルトＢＷＰ情報であり、前記決定されたＢＷＰはデフォルトＢＷＰであり、または、
前記ターゲットセル内の指定されたＢＷＰ情報であり、前記決定されたＢＷＰは当該ハンドオーバーコマンドで明示的に示されるＢＷＰである。
【００３１】
任意選択で、前記ハンドオーバーコマンドまたは前記アクセス帯域幅情報は、前記決定されたＢＷＰを示すための指示情報をさらに含み、前記指示情報は、当該ＢＷＰに対応するランダムアクセスリソース、ランダムアクセスアンブル、デフォルトＢＷＰリソース位置の明示的または暗黙的な指示情報および指定されたＢＷＰの指示情報のうちの１つまたは複数を含む。
【発明の効果】
【００３２】
本発明の実施形態で提供される１つまたは複数の技術的解決策によれば、本発明は、少なくとも以下の技術的効果を有する。
本発明の実施形態によって提供される技術的解決策を採用することによって、端末は、複数のＢＷＰを有するセルにハンドオーバーすることができ、端末は、ターゲットセルのセルレベルＳＳＢのＢＷＰにハンドオーバーするか、または、ネットワーク側で構成されたデフォルトＢＷＰ、または測定オブジェクトに関連するＳＳＢに対応するＢＷＰにハンドオーバーする。またはネットワーク側がハンドオーバーコマンドでＢＷＰアクセス指示情報を構成すると、端末は任意のＢＷＰにアクセスするために割り当てられるため、端末が複数のＢＷＰを有するセルにハンドオーバーされるときのアクセスすべきＢＷＰの選択の問題が解決され、それにより、端末をターゲットセルにハンドオーバーする柔軟性を高め、ユーザ体験を改善する。
【図面の簡単な説明】
【００３３】
【図１】本発明の実施形態によって提供される端末側でのハンドオーバーの方法のフローチャートである。
【図２】本発明の実施形態によって提供されるネットワーク側でのハンドオーバーの方法のフローチャートである。
【図３】本発明の実施形態によって提供される端末の概略図である。
【図４】本発明の実施形態によって提供されるネットワーク側機器の概略図である。
【図５】本発明の実施形態によって提供されるネットワーク側機器の概略図である。
【図６】本発明の実施形態によって提供される端末の概略図である。
【発明を実施するための形態】
【００３４】
上記技術的問題を解決するために、本発明の実施形態における技術的解決策の一般的な思想としては、以下の通りである：ソースセルを介してネットワーク側のターゲットセルによって送信されるハンドオーバーコマンドは、ターゲットセルのアクセス帯域幅情報を含む。端末は、前記アクセス帯域幅情報によって決定され、前記ターゲットセルにアクセスするように構成されたＢＷＰに従って、前記ターゲットセルにアクセスできる。この技術的解決策を採用することにより、複数のＢＷＰを有するセルに端末をハンドオーバーするときにアクセスすべきＢＷＰの選択の問題が解決され、それにより、端末をターゲットセルにハンドオーバーする柔軟性を高め、ユーザ体験を改善する。
【００３５】
前述の技術的解決策を、図面および特定の実施形態を参照して説明する。
【００３６】
図１に示すように、本発明の第１の実施形態は、端末に適用されるハンドオーバー方法を提供し、この方法は以下のステップを含む。
【００３７】
Ｓ１０１：ネットワーク側のターゲットセルからソースセルを介して送信されたハンドオーバーコマンドを受信し、前記ハンドオーバーコマンドは、ターゲットセルのアクセス帯域幅情報を含み、前記アクセス帯域幅情報は、前記ターゲットセルにアクセスするために決定されたＢＷＰの情報である。
【００３８】
Ｓ１０２：前記ＢＷＰにおいて前記ターゲットセルにアクセスし、前記端末を前記ソースセルから前記ターゲットセルにハンドオーバーすることができるようにする。
【００３９】
Ｓ１０１に関して、端末は、例としてＵＥを取り上げる。ネットワーク（たとえばモバイルネットワーク）側の信号はＵＥで測定され、ＵＥは測定レポートを現在接続されているソースセルに送信する。現在接続されているソースセルが測定レポートを受信した後、ＵＥをターゲットセルにハンドオーバーする必要があると判断された場合、ソースセルはハンドオーバー準備要求をターゲットセルに送信する。ソースセルのハンドオーバー準備要求を受信した後、ターゲットセルはＵＥを構成し、ソースセルを介してＵＥにハンドオーバーコマンドを送信する。ＵＥは、ソースセルを介してターゲットセルのハンドオーバーコマンドを受信し、前記ハンドオーバーコマンドは、ネットワーク側のターゲットセルのアクセス帯域幅情報を含む。ここで、アクセス帯域幅情報は、前記ターゲットセルにアクセスするためのＢＷＰ情報である。ハンドオーバーコマンドは、ＵＥのためにターゲットセルによって構成されたターゲットＢＷＰのランダムアクセス構成情報を含み得る。当該ランダムアクセス構成情報は、ＢＷＰの共通ランダムアクセス構成情報および／またはターゲットセルによってＵＥに割り当てられたＢＷＰの専用のランダムアクセス構成情報を含む。
【００４０】
Ｓ１０１が実行された後、Ｓ１０２が実行され、以下のステップを含む。
【００４１】
具体的には、ＵＥが、ハンドオーバーコマンドのアクセス帯域幅情報によって決定され、前記ターゲットセルにアクセスするように構成されたＢＷＰに従ってターゲットセルにアクセスすることは、ＵＥがランダムアクセスプロセスを開始し、前記ＢＷＰ上で前記ターゲットセルにアクセスすることを含む。ここで、ハンドオーバーコマンドのアクセス帯域幅情報は、前記ターゲットセルにアクセスするために決定されたＢＷＰの情報である。ハンドオーバーコマンドまたは前記アクセス帯域幅情報は、前記決定されたＢＷＰを示すための指示情報をさらに含み、前記指示情報は、当該ＢＷＰに対応するランダムアクセスリソース、ランダムアクセスアンブル、デフォルトＢＷＰリソース位置の明示的または暗黙的な指示情報および指定されたＢＷＰの指示情報のうちの１つまたは複数を含む。
【００４２】
ここで、例えば、明示的な指示情報は、ｉｎｄｉｃａｔｉｏｎによって、デフォルトＢＷＰとしてリソース位置にある１つのＢＷＰを示すように構成されてもよい。暗黙の指示情報は、アクセス帯域幅情報リストの最初のＢＷＰまたは最後のＢＷＰがデフォルトＢＷＰとして設定されるか、デフォルトＢＷＰおよび他のアクセス帯域幅情報が異なる情報要素（Ｉｎｆｏｒｍａｔｉｏｎ Ｅｌｅｍｅｎｔ，ＩＥ）によって個別に示されるように構成されてもよい。
【００４３】
アクセス帯域幅情報に含まれるＢＷＰの情報の違いに基づいて、本実施形態は、具体的には、少なくとも以下の実施モードを有することができるが、これに限定されない。
【００４４】
第１のモード：ＵＥは、ハンドオーバーコマンドを受信し、ハンドオーバーコマンドは、ターゲットセルのアクセス帯域幅情報を含み、当該アクセス帯域幅情報は、前記ターゲットセルのセルレベルのＳＳＢが配置されているＢＷＰ情報である。
ＵＥは、アクセス帯域幅情報に従って前記ターゲットセルにアクセスするように構成された決定されたＢＷＰ上でターゲットセルにアクセスする。前記ＢＷＰは、セルレベルのＳＳＢが配置されているＢＷＰ、たとえばｉｎｉｔｉａｌ ＢＷＰである。
ＵＥは、前記セルレベルのＳＳＢが配置されているＢＷＰで前記ターゲットセルにアクセスする。
ＵＥは、再構成完了メッセージをターゲットセルに送信する。
【００４５】
第２のモード：ＵＥは、ハンドオーバーコマンドを受信し、ハンドオーバーコマンドは、ターゲットセルのアクセス帯域幅情報を含み、当該アクセス帯域幅情報は、前記端末によって構成された測定オブジェクトに関連するＳＳＢが含まれるターゲットセルのＢＷＰ情報である。前記測定オブジェクトは、ハンドオーバーをトリガーする測定レポートに対応する測定オブジェクトである。
ＵＥは、アクセス帯域幅情報に従って前記ターゲットセルにアクセスするように構成された決定されたＢＷＰ上でターゲットセルにアクセスする。前記ＢＷＰは、前記端末によって構成された測定オブジェクトに関連するＳＳＢが配置されているＢＷＰである。
ＵＥは、前記端末によって構成された測定オブジェクトに関連するＳＳＢが配置されているＢＷＰで前記ターゲットセルにアクセスする。
ＵＥは、再構成完了メッセージをターゲットセルに送信する。
【００４６】
第３のモード：ＵＥは、ハンドオーバーコマンドを受信し、ハンドオーバーコマンドは、ターゲットセルのアクセス帯域幅情報を含み、当該アクセス帯域幅情報は、前記ターゲットセルのデフォルトＢＷＰ情報である。
ＵＥは、アクセス帯域幅情報に従って前記ターゲットセルにアクセスするように構成された決定されたＢＷＰ上でターゲットセルにアクセスする。ここで、ＢＷＰは、ターゲットセルにおけるデフォルトＢＷＰである。
ＵＥは、前記デフォルトＢＷＰで前記ターゲットセルにアクセスする。
ＵＥは、再構成完了メッセージをターゲットセルに送信する。
【００４７】
第４のモード：ＵＥは、ハンドオーバーコマンドを受信し、ハンドオーバーコマンドは、ターゲットセルのアクセス帯域幅情報を含み、当該アクセス帯域幅情報は、前記ターゲットセルで指定されたＢＷＰ情報である。
ＵＥは、アクセス帯域幅情報に従って前記ターゲットセルにアクセスするように構成された決定されたＢＷＰ上でターゲットセルにアクセスする。前記部分帯域幅は、当該ハンドオーバーコマンドで明示的に示されるＢＷＰである。
ＵＥは、明示的に示されるＢＷＰで前記ターゲットセルにアクセスする。
ＵＥは、再構成完了メッセージをターゲットセルに送信する。
たとえば、明示的な指示は、前記指示情報について、ｉｎｄｉｃａｔｉｏｎにより、ターゲットセルにアクセスするためにＵＥによって使用され得るＢＷＰを示すように構成され得る。
【００４８】
図２に示すように、第２の態様では、本発明の実施形態は、ネットワーク側機器に適用され、以下のステップを含むハンドオーバー方法を提供する。
【００４９】
Ｓ２０１：ソースセルを介して端末にハンドオーバーコマンドを送信し、前記ハンドオーバーコマンドは、ネットワーク側のターゲットセルのアクセス帯域幅情報を含み、その結果、前記端末は、前記アクセス帯域幅情報に従って、前記ターゲットセルにアクセスするように構成された決定されたＢＷＰ上でターゲットセルにアクセスする。
【００５０】
Ｓ２０２：前記端末によって送信された前記ターゲットセルにアクセスするためのランダムアクセス要求を前記ＢＷＰを介して受信し、ランダムアクセスプロセスを完了して、前記端末を前記ソースセルから前記ターゲットセルにハンドオーバーすることができるようにする。
【００５１】
Ｓ２０１の場合、端末は、以下のように例としてＵＥを取り得る。ＵＥは、ネットワーク（たとえばモバイルネットワーク）側の信号を測定し、次に、ＵＥは測定レポートを現在接続されているソースセルに送信する。ソースセルが測定レポートを受信した後、ＵＥをターゲットセルにハンドオーバーする必要があると判断された場合、ソースセルは、ネットワーク側のターゲットセルにハンドオーバー準備要求を送信する。ソースセルのハンドオーバー準備要求を受信した後、ターゲットセルはＵＥを構成し、ソースセルを介してＵＥにハンドオーバーコマンドを送信する。前記ハンドオーバーコマンドは、ネットワーク側のターゲットセルのアクセス帯域幅情報を含み、前記アクセス帯域幅情報に従って、前記ターゲットセルにアクセスするように構成された決定されたＢＷＰ上でターゲットセルにアクセスする。ここで、アクセス帯域幅情報は、前記ターゲットセルにアクセスするためのＢＷＰ情報である。ハンドオーバーコマンドは、ＵＥのためにターゲットセルによって構成されたターゲットＢＷＰのランダムアクセス構成情報を含み得る。当該ランダムアクセス構成情報は、ＢＷＰの共通ランダムアクセス構成情報および／またはターゲットセルによってＵＥに割り当てられたＢＷＰの専用のランダムアクセス構成情報を含む。前記ターゲットセルは複数のＢＷＰを有するセルである。
【００５２】
ハンドオーバーコマンドまたは前記アクセス帯域幅情報は、前記決定されたＢＷＰを示すための指示情報をさらに含み、前記指示情報は、当該ＢＷＰに対応するランダムアクセスリソース、ランダムアクセスアンブル、デフォルトＢＷＰリソース位置の明示的または暗黙的な指示情報および指定されたＢＷＰの指示情報のうちの１つまたは複数を含む。
【００５３】
ここで、例えば、明示的な指示情報は、ｉｎｄｉｃａｔｉｏｎによって、デフォルトＢＷＰとしてリソース位置にある１つのＢＷＰを示すように構成されてもよい。暗黙の指示情報は、アクセス帯域幅情報リストの最初のＢＷＰまたは最後のＢＷＰがデフォルトＢＷＰとして設定されるか、デフォルトＢＷＰおよび他のアクセス帯域幅情報が異なる情報要素（Ｉｎｆｏｒｍａｔｉｏｎ Ｅｌｅｍｅｎｔ，ＩＥ）によって個別に示されるように構成されてもよい。
【００５４】
Ｓ２０１の実行後、ステップＳ２０２が実行され、ステップＳ２０２は、
前記ＢＷＰを介してＵＥによって送信された前記ターゲットセルにアクセスするためのランダムアクセス要求を受信し、ランダムアクセスプロセスを完了して、ＵＥに、前記ソースセルからターゲットセルにハンドオーバーさせるようにする。
【００５５】
ＵＥの再構成完了メッセージを受信した後、ネットワーク側装置は、ＵＥなどを再構成することができる。
【００５６】
アクセス帯域幅情報に含まれるＢＷＰの情報の違いに基づいて、本実施形態は、具体的には、少なくとも以下の実施モードを有することができるが、これに限定されない。
【００５７】
第１のモード：ハンドオーバーコマンドは、ソースセルを介してＵＥに送信され、前記ハンドオーバーコマンドは、ＵＥのために構成されたアクセス帯域幅情報を含む。当該アクセス帯域幅情報は、前記ターゲットセルのセルレベルのＳＳＢが配置されているＢＷＰ情報である。ＵＥは、ハンドオーバーコマンドを受信した後、前記アクセス帯域幅情報に従って、前記ターゲットセルにアクセスするように構成された決定されたＢＷＰ上でターゲットセルにアクセスする。前記部分帯域幅は、セルレベルのＳＳＢが配置されているＢＷＰである。
前記セルレベルのＳＳＢが配置されているＢＷＰを介してＵＥによって送信された前記ターゲットセルにアクセスするためのランダムアクセス要求を受信し、ランダムアクセスプロセスを完了して、ＵＥに前記ソースセルから前記ネットワーク側のターゲットセルにハンドオーバーさせるようにする。
ＵＥの再構成完了メッセージが受信された後、ＵＥは再構成され得る。
【００５８】
第２のモード：ハンドオーバーコマンドは、ソースセルを介してＵＥに送信され、前記ハンドオーバーコマンドは、ＵＥのために構成されたアクセス帯域幅情報を含む。当該アクセス帯域幅情報は、前記端末によって構成された測定オブジェクトに関連するＳＳＢが含まれるターゲットセルのＢＷＰ情報である。ＵＥは、ハンドオーバーコマンドを受信した後、前記アクセス帯域幅情報に従って、前記ターゲットセルにアクセスするように構成された決定されたＢＷＰ上でターゲットセルにアクセスする。前記ＢＷＰは、前記ターゲットセル内の、前記端末によって構成された測定オブジェクトに関連するＳＳＢが配置されているＢＷＰである。ここで、前記測定オブジェクトは、ハンドオーバーをトリガーする測定レポートに対応する測定オブジェクトである。
前記端末によって構成された測定オブジェクトに関連するＳＳＢが配置されているＢＷＰを介してＵＥによって送信された前記ターゲットセルにアクセスするためのランダムアクセス要求を受信し、ランダムアクセスプロセスを完了して、ＵＥに前記ソースセルから前記ネットワーク側のターゲットセルにハンドオーバーさせるようにする。
ＵＥの再構成完了メッセージが受信された後、ＵＥは再構成され得る。
【００５９】
第３のモード：ハンドオーバーコマンドは、ソースセルを介してＵＥに送信され、前記ハンドオーバーコマンドは、ＵＥのために構成されたアクセス帯域幅情報を含む。当該アクセス帯域幅情報は、前記ターゲットセルのデフォルトＢＷＰ情報である。ＵＥは、ハンドオーバーコマンドを受信した後、前記アクセス帯域幅情報に従って、前記ターゲットセルにアクセスするように構成された決定されたＢＷＰ上でターゲットセルにアクセスする。前記部分帯域幅はデフォルトＢＷＰである。
前記デフォルトＢＷＰを介してＵＥによって送信された前記ターゲットセルにアクセスするためのランダムアクセス要求を受信し、ランダムアクセスプロセスを完了して、ＵＥに前記ソースセルから前記ネットワーク側のターゲットセルにハンドオーバーさせるようにする。
ＵＥの再構成完了メッセージが受信された後、ＵＥは再構成され得る。
【００６０】
第４のモード：ハンドオーバーコマンドは、ソースセルを介してＵＥに送信され、前記ハンドオーバーコマンドは、ＵＥのために構成されたアクセス帯域幅情報を含む。当該アクセス帯域幅情報は、前記ターゲットセルで指定されたＢＷＰ情報である。ＵＥは、ハンドオーバーコマンドを受信した後、前記アクセス帯域幅情報に従って、前記ターゲットセルにアクセスするように構成された決定されたＢＷＰ上でターゲットセルにアクセスする。前記部分帯域幅は当該ハンドオーバーコマンドで明示的に示されるＢＷＰである。
当該ハンドオーバーコマンドで明示的に示されるＢＷＰを介してＵＥによって送信された前記ターゲットセルにアクセスするためのランダムアクセス要求を受信し、ランダムアクセスプロセスを完了して、ＵＥに前記ソースセルから前記ネットワーク側のターゲットセルにハンドオーバーさせるようにする。
たとえば、明示的な指示は、前記指示情報について、ｉｎｄｉｃａｔｉｏｎにより、ターゲットセルにアクセスするためにＵＥによって使用され得るＢＷＰを示すように構成され得る。
ＵＥの再構成完了メッセージが受信された後、ＵＥは再構成され得る。
【００６１】
図３に示されるように、第３の態様では、本発明の実施形態は端末を提供し、端末は、受信モジュール３０１およびアクセスモジュール３０２を備える。
【００６２】
前記受信モジュール３０１は、ネットワーク側のターゲットセルからソースセルを介して送信されたハンドオーバーコマンドを受信し、前記ハンドオーバーコマンドは、ターゲットセルのアクセス帯域幅情報を含み、前記アクセス帯域幅情報は、前記ターゲットセルにアクセスするために決定されたＢＷＰの情報である。
【００６３】
前記アクセスモジュール３０２は、前記ＢＷＰにおいて前記ターゲットセルにアクセスし、前記端末を前記ソースセルから前記ターゲットセルにハンドオーバーすることができるようにする。
【００６４】
端末は、例としてＵＥを取り上げる。ネットワーク（たとえばモバイルネットワーク）側の信号はＵＥで測定され、ＵＥは測定レポートを現在接続されているソースセルに送信する。現在接続されているソースセルが測定レポートを受信した後、ＵＥをターゲットセルにハンドオーバーする必要があると判断された場合、ターゲットセルにハンドオーバー準備要求を送信する。ソースセルのハンドオーバー準備要求を受信した後、ターゲットセルはＵＥを構成し、ソースセルを介してＵＥにハンドオーバーコマンドを送信する。次に、受信モジュール３０１は、ソースセルを介してネットワーク側のターゲットセルによって送信されたハンドオーバーコマンドを受信し、当該ハンドオーバーコマンドはアクセス帯域幅情報を含む。ここで、アクセス帯域幅情報は、前記ターゲットセルにアクセスするためのＢＷＰ情報である。ハンドオーバーコマンドは、ＵＥのためにターゲットセルによって構成されたターゲットＢＷＰのランダムアクセス構成情報を含み得る。当該ランダムアクセス構成情報は、ＢＷＰの共通ランダムアクセス構成情報および／またはターゲットセルによってＵＥに割り当てられたＢＷＰの専用のランダムアクセス構成情報を含む。アクセスモジュール３０２は、決定された前記ＢＷＰ上で前記ターゲットセルにアクセスする。前記端末を前記ソースセルから前記ターゲットセルにハンドオーバーすることができるようにする。
【００６５】
具体的には、ＵＥが、ハンドオーバーコマンドのアクセス帯域幅情報に従って、前記ターゲットセルにアクセスするように構成された決定されたＢＷＰ上でターゲットセルにアクセスした後、ＵＥは、ランダムアクセスプロセスを開始し、アクセスモジュール３０２は、前記ＢＷＰ上で前記ターゲットセルにアクセスする。ここで、ハンドオーバーコマンドのアクセス帯域幅情報は、前記ターゲットセルにアクセスするために決定されたＢＷＰの情報である。ハンドオーバーコマンドまたは前記アクセス帯域幅情報は、前記決定されたＢＷＰを示すための指示情報をさらに含み、前記指示情報は、当該ＢＷＰに対応するランダムアクセスリソース、ランダムアクセスアンブル、デフォルトＢＷＰリソース位置の明示的または暗黙的な指示情報および指定されたＢＷＰの指示情報のうちの１つまたは複数を含む。
【００６６】
アクセス帯域幅情報に含まれるＢＷＰの情報の違いに基づいて、本実施形態は、具体的には、少なくとも以下の実施モードを有することができるが、これに限定されない。
【００６７】
第１のモード：受信モジュール３０１はハンドオーバーコマンドを受信する。ハンドオーバーコマンドは、ターゲットセルのアクセス帯域幅情報を含み、当該アクセス帯域幅情報は、前記ターゲットセルのセルレベルのＳＳＢが配置されているＢＷＰ情報である。前記アクセス帯域幅情報は、前記ターゲットセルにアクセスするために決定されたＢＷＰの情報であり、前記ＢＷＰは、セルレベルのＳＳＢが配置されているＢＷＰ、たとえばｉｎｉｔｉａｌ ＢＷＰである。
アクセスモジュール３０２は、前記セルレベルのＳＳＢが配置されているＢＷＰ上で前記ターゲットセルにアクセスする。
ＵＥは、再構成完了メッセージをターゲットセルに送信する。
【００６８】
第２のモード：受信モジュール３０１はハンドオーバーコマンドを受信する。ハンドオーバーコマンドは、ターゲットセルのアクセス帯域幅情報を含み、当該アクセス帯域幅情報は、前記端末によって構成された測定オブジェクトに関連するＳＳＢが含まれるターゲットセルのＢＷＰ情報である。前記測定オブジェクトは、ハンドオーバーをトリガーする測定レポートに対応する測定オブジェクトである。前記アクセス帯域幅情報は、前記ターゲットセルにアクセスするために決定されたＢＷＰの情報であり、前記ＢＷＰは、前記端末によって構成された測定オブジェクトに関連するＳＳＢが配置されているＢＷＰである。
アクセスモジュール３０２は、前記端末によって構成された測定オブジェクトに関連するＳＳＢが配置されているＢＷＰ上で前記ターゲットセルにアクセスする。ＵＥは、再構成完了メッセージをターゲットセルに送信する。
【００６９】
第３のモード：受信モジュール３０１はハンドオーバーコマンドを受信する。ハンドオーバーコマンドは、ターゲットセルのアクセス帯域幅情報を含み、当該アクセス帯域幅情報は、前記ターゲットセルのデフォルトＢＷＰ情報である。前記アクセス帯域幅情報は、前記ターゲットセルにアクセスするために決定されたＢＷＰの情報であり、ここで、ＢＷＰは、ターゲットセルにおけるデフォルトＢＷＰである。
アクセスモジュール３０２は、前記デフォルトＢＷＰ上で前記ターゲットセルにアクセスする。
ＵＥは、再構成完了メッセージをターゲットセルに送信する。
【００７０】
第４のモード：受信モジュール３０１はハンドオーバーコマンドを受信する。ハンドオーバーコマンドは、ターゲットセルのアクセス帯域幅情報を含み、当該アクセス帯域幅情報は、前記ターゲットセルで指定されたＢＷＰ情報である。前記アクセス帯域幅情報は、前記ターゲットセルにアクセスするために決定されたＢＷＰの情報であり、前記ＢＷＰは当該ハンドオーバーコマンドで明示的に示されるＢＷＰである。
アクセスモジュール３０２は、前記明示的に示されるＢＷＰ上で前記ターゲットセルにアクセスする。
ＵＥは、再構成完了メッセージをターゲットセルに送信する。
たとえば、明示的な指示は、前記指示情報について、ｉｎｄｉｃａｔｉｏｎにより、ターゲットセルにアクセスするためにＵＥによって使用され得るＢＷＰを示すように構成され得る。
【００７１】
図４に示すように、第４の態様では、本発明の実施形態は、送信モジュール４０１および受信モジュール４０２を備えるネットワーク側装置を提供する。
【００７２】
前記送信モジュール４０１は、ソースセルを介して端末にハンドオーバーコマンドを送信し、前記ハンドオーバーコマンドは、ネットワーク側のターゲットセルのアクセス帯域幅情報を含み、その結果、前記端末は、前記アクセス帯域幅情報に従って、前記ターゲットセルにアクセスするように構成された決定されたＢＷＰ上でターゲットセルにアクセスする。
【００７３】
前記受信モジュール４０２は、前記端末によって送信された前記ターゲットセルにアクセスするためのランダムアクセス要求を前記ＢＷＰを介して受信し、ランダムアクセスプロセスを完了して、前記端末を前記ソースセルから前記ターゲットセルにハンドオーバーすることができるようにする。
【００７４】
端末は、例としてＵＥを取り上げる。ＵＥは、ネットワーク（たとえばモバイルネットワーク）側の信号を測定し、次に、ＵＥは測定レポートを現在接続されているソースセルに送信する。ソースセルが測定レポートを受信した後、ＵＥをターゲットセルにハンドオーバーする必要があると判断された場合、ソースセルは、ネットワーク側のターゲットセルにハンドオーバー準備要求を送信する。ソースセルのハンドオーバー準備要求を受信した後、ターゲットセルはＵＥを構成し、ネットワーク側装置内の送信モジュール４０１は、ソースセルを介してハンドオーバーコマンドをＵＥに送信する。前記ハンドオーバーコマンドは、ネットワーク側のターゲットセルのアクセス帯域幅情報を含み、前記アクセス帯域幅情報に従って、前記ターゲットセルにアクセスするように構成された決定されたＢＷＰ上でターゲットセルにアクセスする。ここで、アクセス帯域幅情報は、前記ターゲットセルにアクセスするためのＢＷＰ情報である。ハンドオーバーコマンドは、ＵＥのためにターゲットセルによって構成されたターゲットＢＷＰのランダムアクセス構成情報を含み得る。当該ランダムアクセス構成情報は、ＢＷＰの共通ランダムアクセス構成情報および／またはターゲットセルによってＵＥに割り当てられたＢＷＰの専用のランダムアクセス構成情報を含む。
【００７５】
ハンドオーバーコマンドまたは前記アクセス帯域幅情報は、前記決定されたＢＷＰを示すための指示情報をさらに含み、前記指示情報は、当該ＢＷＰに対応するランダムアクセスリソース、ランダムアクセスアンブル、デフォルトＢＷＰリソース位置の明示的または暗黙的な指示情報および指定されたＢＷＰの指示情報のうちの１つまたは複数を含む。
【００７６】
ここで、例えば、明示的な指示情報は、ｉｎｄｉｃａｔｉｏｎによって、デフォルトＢＷＰとしてリソース位置にある１つのＢＷＰを示すように構成されてもよい。暗黙の指示情報は、アクセス帯域幅情報リストの最初のＢＷＰまたは最後のＢＷＰがデフォルトＢＷＰとして設定されるか、デフォルトＢＷＰおよび他のアクセス帯域幅情報が異なる情報要素（Ｉｎｆｏｒｍａｔｉｏｎ Ｅｌｅｍｅｎｔ，ＩＥ）によって個別に示されるように構成されてもよい。
【００７７】
送信モジュール４０１がソースセルを介してＵＥにハンドオーバーコマンドを送信した後、受信モジュール４０２は、前記ＢＷＰを介してＵＥによって送信された前記ターゲットセルにアクセスするためのランダムアクセス要求を受信し、ランダムアクセスプロセスを完了して、ＵＥに、前記ソースセルからターゲットセルにハンドオーバーさせるようにする。
【００７８】
そして、ネットワーク側装置がＵＥの再構成完了メッセージを受信した後、ネットワーク側装置は、ＵＥを再構成し得る。
【００７９】
アクセス帯域幅情報に含まれるＢＷＰの情報の違いに基づいて、本実施形態は、具体的には、少なくとも以下の実施モードを有することができるが、これに限定されない。
【００８０】
第１のモード：送信モジュール４０１は、ソースセルを介してＵＥにハンドオーバーコマンドを送信する。前記ハンドオーバーコマンドは、ＵＥのために構成されたアクセス帯域幅情報を含む。当該アクセス帯域幅情報は、前記ターゲットセルのセルレベルのＳＳＢが配置されているＢＷＰ情報である。ＵＥは、ハンドオーバーコマンドを受信した後、前記アクセス帯域幅情報に従って、前記ターゲットセルにアクセスするように構成された決定されたＢＷＰ上でターゲットセルにアクセスする。前記ＢＷＰはセルレベルのＳＳＢが配置されているＢＷＰであり、ターゲットセルにアクセスするに用いられる。
受信モジュール４０２は、前記セルレベルのＳＳＢが配置されているＢＷＰを介して送信された前記ターゲットセルにアクセスするためのランダムアクセス要求を受信し、ランダムアクセスプロセスを完了して、ＵＥに前記ソースセルから前記ネットワーク側のターゲットセルにハンドオーバーさせるようにする。
ネットワーク側装置がＵＥの再構成完了メッセージを受信した後、ＵＥは再構成され得る。
【００８１】
第２のモード：送信モジュール４０１は、ハンドオーバーコマンドをソースセルを介してＵＥに送信し、前記ハンドオーバーコマンドは、ＵＥのために構成されたアクセス帯域幅情報を含む。当該アクセス帯域幅情報は、前記端末によって構成された測定オブジェクトに関連するＳＳＢが含まれるターゲットセルのＢＷＰ情報である。ＵＥは、ハンドオーバーコマンドを受信した後、前記アクセス帯域幅情報に従って、前記ターゲットセルにアクセスするように構成された決定されたＢＷＰ上でターゲットセルにアクセスする。前記部分帯域幅は、前記ターゲットセル内の、前記端末によって構成された測定オブジェクトに関連するＳＳＢが配置されているＢＷＰである。ここで、前記測定オブジェクトは、ハンドオーバーをトリガーする測定レポートに対応する測定オブジェクトである。
受信モジュール４０２は、前記端末によって構成された測定オブジェクトに関連するＳＳＢが配置されているＢＷＰを介して前記ターゲットセルにアクセスするためのランダムアクセス要求を受信し、ランダムアクセスプロセスを完了して、ＵＥに前記ソースセルから前記ネットワーク側のターゲットセルにハンドオーバーさせるようにする。
ネットワーク側装置がＵＥの再構成完了メッセージを受信した後、ＵＥは再構成され得る。
【００８２】
第３のモード：送信モジュール４０１は、ハンドオーバーコマンドを、ソースセルを介してＵＥに送信し、前記ハンドオーバーコマンドは、ＵＥのために構成されたアクセス帯域幅情報を含む。当該アクセス帯域幅情報は、前記ターゲットセルのデフォルトＢＷＰ情報である。ＵＥは、ハンドオーバーコマンドを受信した後、前記アクセス帯域幅情報に従って、前記ターゲットセルにアクセスするように構成された決定されたＢＷＰ上でターゲットセルにアクセスする。前記ＢＷＰはデフォルトＢＷＰである。
受信モジュール４０２は、前記デフォルトＢＷＰを介して送信された前記ターゲットセルにアクセスするためのランダムアクセス要求を受信し、ランダムアクセスプロセスを完了して、ＵＥに前記ソースセルから前記ネットワーク側のターゲットセルにハンドオーバーさせるようにする。ネットワーク側装置がＵＥの再構成完了メッセージを受信した後、ＵＥは再構成され得る。
【００８３】
第４のモード：送信モジュール４０１は、ハンドオーバーコマンドを、ソースセルを介してＵＥに送信し、前記ハンドオーバーコマンドは、ＵＥのために構成されたアクセス帯域幅情報を含む。当該アクセス帯域幅情報は、前記ターゲットセルで指定されたＢＷＰ情報である。ＵＥは、ハンドオーバーコマンドを受信した後、前記アクセス帯域幅情報に従って、前記ターゲットセルにアクセスするように構成された決定されたＢＷＰ上でターゲットセルにアクセスする。前記ＢＷＰは、当該ハンドオーバーコマンドで明示的に示されるＢＷＰである。
受信モジュール４０２は、当該ハンドオーバーコマンドで明示的に示されるＢＷＰを介してＵＥによって送信された前記ターゲットセルにアクセスするためのランダムアクセス要求を受信し、ランダムアクセスプロセスを完了して、ＵＥに前記ソースセルから前記ネットワーク側のターゲットセルにハンドオーバーさせるようにする。
たとえば、明示的な指示は、前記指示情報について、ｉｎｄｉｃａｔｉｏｎにより、ターゲットセルにアクセスするためにＵＥによって使用され得るＢＷＰを示すように構成され得る。
ネットワーク側がＵＥの再構成完了メッセージを受信した後、ＵＥは再構成され得る。
【００８４】
第５の態様では、本発明の実施形態は、メモリに記憶されたコンピュータプログラムを実行するときに第１の実施形態または第２の実施形態の方法の動作を実施するプロセッサを含むコンピュータデバイスを提供する。
【００８５】
第６の態様では、本発明の実施形態は、コンピュータ可読記憶媒体を提供し、コンピュータプログラムはコンピュータ可読記憶媒体に記憶され、コンピュータプログラムがプロセッサによって実行されるとき、方法の動作第１の実施形態または第２の実施形態が実施される。
【００８６】
第７の態様では、本発明の実施形態は、以下のモードに従って実施することができるネットワーク側装置を提供する。
【００８７】
図５は、ネットワーク側装置の構造図であり、図に示すように、ネットワーク側装置は、
メモリ５２０内のプログラムを読み出し、以下のプロセスを実行するように構成されたプロセッサ５００と、
プロセッサ５００の制御の下でデータを送受信するように構成された送受信機５１０とを備える。
前記プロセッサ５００は、ソースセルを介して端末にハンドオーバーコマンドを送信し、前記ハンドオーバーコマンドは、ネットワーク側のターゲットセルのアクセス帯域幅情報を含み、前記アクセス帯域幅情報に従って決定された、前記ターゲットセルにアクセスするためのＢＷＰに基づいて、前記端末に、ターゲットセルにアクセスさせるようにし、
前記端末によって送信された前記ターゲットセルにアクセスするためのランダムアクセス要求を前記ＢＷＰを介して受信し、ランダムアクセスプロセスを完了して、前記端末を前記ソースセルから前記ターゲットセルにハンドオーバーすることができるようにする。
【００８８】
実施において、前記アクセス帯域幅情報は、
前記ターゲットセル内のセルレベルのＳＳＢが配置されているＢＷＰの情報であり、前記決定されたＢＷＰは、セルレベルのＳＳＢが配置されているＢＷＰであり、または、
前記端末によって構成された測定オブジェクトに関連するＳＳＢが配置されている前記ターゲットセルのＢＷＰ情報であり、前記測定オブジェクトは、ハンドオーバーをトリガーする測定レポートに対応する測定オブジェクトであり、前記決定されたＢＷＰは、前記端末によって構成された測定オブジェクトに関連するＳＳＢが配置されているＢＷＰであり、または、
前記ターゲットセル内のデフォルトＢＷＰ情報であり、前記決定されたＢＷＰはデフォルトＢＷＰであり、または、
前記ターゲットセル内の指定されたＢＷＰ情報であり、前記決定されたＢＷＰは当該ハンドオーバーコマンドで明示的に示されるＢＷＰである。
【００８９】
実施において、前記ハンドオーバーコマンドまたは前記アクセス帯域幅情報は、前記決定されたＢＷＰを示すための指示情報をさらに含み、前記指示情報は、当該ＢＷＰに対応するランダムアクセスリソース、ランダムアクセスアンブル、デフォルトＢＷＰリソース位置の明示的または暗黙的な指示情報および指定されたＢＷＰの指示情報のうちの１つまたは複数を含む。
【００９０】
ここで、図５において、バスアーキテクチャは、任意の数の相互接続するバス及びブリッジを備える。具体的に、プロセッサ５００によって表される１つまたは複数のプロセッサ及びメモリ５２０によって表されるメモリの多様な回路により接続される。バスアーキテクチャは、外部設備、電圧レギュレーター及び電力管理回路等の他の回路を接続することもできる。これらは、当該分野の周知技術であるため、本発明において、詳細に説明しない。バスインターフェースはインターフェースを提供する。送受信機５１０は、複数の部品であることができ、即ち、送信機及び受信機を備え、伝送媒体を介して他の装置と通信するユニットを提供する。プロセッサ５００は、バスアーキテクチャ及び通常の処理を管理し、メモリ５２０は、プロセッサ５００が動作する際に利用するデータを記憶することができる。
【００９１】
第８の態様では、本発明の実施形態は、以下のモードに従って実施することができる端末を提供する。
【００９２】
図６は、端末の構造図であり、図に示すように、前記端末は、
メモリ６２０内のプログラムを読み出し、以下のプロセスを実行するように構成されたプロセッサ６００と、
プロセッサ６００の制御の下でデータを送受信するように構成された送受信機６１０とを備える。
前記プロセッサ６００は、端末ネットワーク側のターゲットセルからソースセルを介して送信されたハンドオーバーコマンドを受信し、前記ハンドオーバーコマンドは、ターゲットセルのアクセス帯域幅情報を含み、前記アクセス帯域幅情報は、決定された、前記ターゲットセルにアクセスするための部分帯域幅ＢＷＰ情報であり、
端末に、前記ＢＷＰ上で前記ターゲットセルにアクセスさせるようにし、前記端末を前記ソースセルから前記ターゲットセルにハンドオーバーすることができるようにする。
【００９３】
実施において、前記アクセス帯域幅情報は、
前記ターゲットセル内のセルレベルの同期信号ブロック（ＳＳＢ）を含むＢＷＰの情報であり、前記決定されたＢＷＰは、セルレベルのＳＳＢが配置されているＢＷＰであり、または、
前記端末によって構成された測定オブジェクトに関連するＳＳＢが配置されている前記ターゲットセルのＢＷＰ情報であり、前記測定オブジェクトは、ハンドオーバーをトリガーする測定レポートに対応する測定オブジェクトであり、前記決定されたＢＷＰは、前記端末によって構成された測定オブジェクトに関連するＳＳＢが配置されているＢＷＰであり、または、
前記ターゲットセル内のデフォルトＢＷＰ情報であり、前記決定されたＢＷＰはデフォルトＢＷＰであり、または、
前記ターゲットセル内の指定されたＢＷＰ情報であり、前記決定されたＢＷＰは当該ハンドオーバーコマンドで明示的に示されるＢＷＰである。
【００９４】
実施において、前記ハンドオーバーコマンドまたは前記アクセス帯域幅情報は、前記決定されたＢＷＰを示すための指示情報をさらに含み、前記指示情報は、当該ＢＷＰに対応するランダムアクセスリソース、ランダムアクセスアンブル、デフォルトＢＷＰリソース位置の明示的または暗黙的な指示情報および指定されたＢＷＰの指示情報のうちの１つまたは複数を含む。
【００９５】
ここで、図６において、バスアーキテクチャは、任意の数の相互接続するバス及びブリッジを備える。具体的に、プロセッサ６００によって表される１つまたは複数のプロセッサ及びメモリ６２０によって表されるメモリの多様な回路により接続される。バスアーキテクチャは、外部設備、電圧レギュレーター及び電力管理回路等の他の回路を接続することもできる。これらは、当該分野の周知技術であるため、本発明において、詳細に説明しない。バスインターフェースはインターフェースを提供する。送受信機６１０は、複数の部品であることができ、即ち、送信機及び受信機を備え、伝送媒体を介して他の装置と通信するユニットを提供する。異なるユーザ設備に対し、ユーザインターフェース６３０は、外部接続または内部接続に必要な設備のインターフェースであることもできる。接続する設備は、キーパッド、ディスプレー、スピーカー、マイクロホン、ジョイスティック等を備えるが、これに限られない。
【００９６】
プロセッサ６００は、バスアーキテクチャ及び通常の処理を管理し、メモリ６２０は、プロセッサ６００が動作する際に利用するデータを記憶することができる。
【００９７】
本発明の実施形態で提供される１つまたは複数の技術的解決策によれば、本発明は、少なくとも以下の技術的効果を有する。
本発明の実施形態によって提供される技術的解決策を採用することによって、端末は、複数のＢＷＰを有するセルにハンドオーバーすることができ、端末は、ターゲットセルのセルレベルＳＳＢのＢＷＰにハンドオーバーするか、または、ネットワーク側で構成されたデフォルトＢＷＰ、または測定オブジェクトに関連するＳＳＢに対応するＢＷＰにハンドオーバーする。またはネットワーク側がハンドオーバーコマンドでＢＷＰアクセス指示情報を構成すると、端末は任意のＢＷＰにアクセスするために割り当てられるため、端末が複数のＢＷＰを有するセルにハンドオーバーされるときのアクセスすべきＢＷＰの選択の問題が解決され、それにより、端末をターゲットセルにハンドオーバーする柔軟性を高め、ユーザ体験を改善する。
【００９８】
上述した実施形態に記述された技術的な解決手段を改造し、或いはその中の一部の技術要素を置換することもできる。そのような、改造と置換は本発明の各実施形態の技術の範囲から逸脱するとは見なされない。
【００９９】
無論、当業者によって、上述した実施形態に記述された技術的な解決手段を改造し、或いはその中の一部の技術要素を置換することもできる。そのような、改造と置換は本発明の各実施形態の技術の範囲から逸脱するとは見なされない。そのような改造と置換は、すべて本発明の請求の範囲に属する。
【符号の説明】
【０１００】
３０１  受信モジュール
３０２  アクセスモジュール
４０１  送信モジュール
４０２  受信モジュール
５００  プロセッサ
５１０  送受信機
５２０  メモリ
６００  プロセッサ
６１０  送受信機
６２０  メモリ
６３０  ユーザインターフェース
【図１】
2021503846.tif 000003
【図２】
2021503846.tif 000004
【図３】
2021503846.tif 000005
【図４】
2021503846.tif 000006
【図５】
2021503846.tif 000007
【図６】
2021503846.tif 000008
【手続補正書】
【提出日】令和2年5月18日(2020.5.18)
【手続補正１】
【補正対象書類名】特許請求の範囲
【補正対象項目名】全文
【補正方法】変更
【補正の内容】
【特許請求の範囲】
【請求項１】
端末に適用するハンドオーバー方法であって、
ネットワーク側のターゲットセルからソースセルを介して送信されたハンドオーバーコマンドを受信するステップであって、前記ハンドオーバーコマンドは、ターゲットセルのアクセス帯域幅情報を含み、前記アクセス帯域幅情報は、決定された、前記ターゲットセルにアクセスするための部分帯域幅（ＢＷＰ）の情報である、ステップと、
前記ＢＷＰにおいて前記ターゲットセルにアクセスし、前記端末を前記ソースセルから前記ターゲットセルにハンドオーバーすることができるようにするステップと
を有することを特徴とするハンドオーバー方法。
【請求項２】
前記アクセス帯域幅情報は、
前記ターゲットセル内のセルレベルの同期信号ブロック（ＳＳＢ）を含むＢＷＰの情報であり、前記決定されたＢＷＰは、セルレベルのＳＳＢが配置されているＢＷＰであり、または、
前記端末によって構成された測定オブジェクトに関連するＳＳＢが配置されている前記ターゲットセルのＢＷＰの情報であり、前記測定オブジェクトは、ハンドオーバーをトリガーする測定レポートに対応する測定オブジェクトであり、前記決定されたＢＷＰは、前記端末によって構成された測定オブジェクトに関連するＳＳＢが配置されているＢＷＰであり、または、
前記ターゲットセル内のデフォルトＢＷＰの情報であり、前記決定されたＢＷＰは、デフォルトＢＷＰであり、または、
前記ターゲットセル内の指定されたＢＷＰの情報であり、前記決定されたＢＷＰは、前記ハンドオーバーコマンドで明示的に示されるＢＷＰであることを特徴とする請求項１に記載のハンドオーバー方法。
【請求項３】
前記ハンドオーバーコマンドまたは前記アクセス帯域幅情報は、前記決定されたＢＷＰを示すための指示情報をさらに含み、前記指示情報は、前記ＢＷＰに対応するランダムアクセスリソース、ランダムアクセスアンブル、デフォルトＢＷＰリソース位置の明示的または暗黙的な指示情報および指定されたＢＷＰの指示情報のうちの１つまたは複数を含むことを特徴とする請求項１または２に記載のハンドオーバー方法。
【請求項４】
ネットワーク側に適用するハンドオーバー方法であって、
ソースセルを介して端末にハンドオーバーコマンドを送信するステップであって、前記ハンドオーバーコマンドは、ネットワーク側のターゲットセルのアクセス帯域幅情報を含み、前記アクセス帯域幅情報に従って決定された、前記ターゲットセルにアクセスするための部分帯域幅（ＢＷＰ）に基づいて、前記端末に、ターゲットセルにアクセスさせるようにする、ステップと、
前記端末によって送信された前記ターゲットセルにアクセスするためのランダムアクセス要求を前記ＢＷＰを介して受信し、ランダムアクセスプロセスを完了して、前記端末を前記ソースセルから前記ターゲットセルにハンドオーバーすることができるようにするステップと
を有することを特徴とするハンドオーバー方法。
【請求項５】
前記アクセス帯域幅情報は、
前記ターゲットセル内のセルレベルの同期信号ブロック（ＳＳＢ）が配置されているＢＷＰの情報であり、前記決定されたＢＷＰは、セルレベルのＳＳＢが配置されているＢＷＰであり、または、
前記端末によって構成された測定オブジェクトに関連するＳＳＢが配置されている前記ターゲットセルのＢＷＰの情報であり、前記測定オブジェクトは、ハンドオーバーをトリガーする測定レポートに対応する測定オブジェクトであり、前記決定されたＢＷＰは、前記端末によって構成された測定オブジェクトに関連するＳＳＢが配置されているＢＷＰであり、または、
前記ターゲットセル内のデフォルトＢＷＰの情報であり、前記決定されたＢＷＰは、デフォルトＢＷＰであり、または、
前記ターゲットセル内の指定されたＢＷＰの情報であり、前記決定されたＢＷＰは、前記ハンドオーバーコマンドで明示的に示されるＢＷＰであることを特徴とする請求項４に記載のハンドオーバー方法。
【請求項６】
前記ハンドオーバーコマンドまたは前記アクセス帯域幅情報は、前記決定されたＢＷＰを示すための指示情報をさらに含み、前記指示情報は、前記ＢＷＰに対応するランダムアクセスリソース、ランダムアクセスアンブル、デフォルトＢＷＰリソース位置の明示的または暗黙的な指示情報および指定されたＢＷＰの指示情報のうちの１つまたは複数を含むことを特徴とする請求項４または５に記載のハンドオーバー方法。
【請求項７】
ネットワーク側のターゲットセルからソースセルを介して送信されたハンドオーバーコマンドを受信する受信モジュールであって、前記ハンドオーバーコマンドは、ターゲットセルのアクセス帯域幅情報を含み、前記アクセス帯域幅情報は、前記ターゲットセルにアクセスするために決定された部分帯域幅（ＢＷＰ）の情報である、受信モジュールと、
前記ＢＷＰにおいて前記ターゲットセルにアクセスし、前記端末を前記ソースセルから前記ターゲットセルにハンドオーバーすることができるようにするアクセスモジュールと
を備えることを特徴とする端末。
【請求項８】
前記アクセス帯域幅情報は、
前記ターゲットセル内のセルレベルの同期信号ブロック（ＳＳＢ）を含むＢＷＰの情報であり、前記決定されたＢＷＰは、セルレベルのＳＳＢが配置されているＢＷＰであり、または、
前記端末によって構成された測定オブジェクトに関連するＳＳＢが配置されている前記ターゲットセルのＢＷＰの情報であり、前記測定オブジェクトは、ハンドオーバーをトリガーする測定レポートに対応する測定オブジェクトであり、前記決定されたＢＷＰは、前記端末によって構成された測定オブジェクトに関連するＳＳＢが配置されているＢＷＰであり、または
前記ターゲットセル内のデフォルトＢＷＰの情報であり、前記決定されたＢＷＰは、デフォルトＢＷＰであり、または、
前記ターゲットセル内の指定されたＢＷＰの情報であり、前記決定されたＢＷＰは、前記ハンドオーバーコマンドで明示的に示されるＢＷＰであることを特徴とする請求項７に記載の端末。
【請求項９】
前記ハンドオーバーコマンドまたは前記アクセス帯域幅情報は、前記決定されたＢＷＰを示すための指示情報をさらに含み、前記指示情報は、前記ＢＷＰに対応するランダムアクセスリソース、ランダムアクセスアンブル、デフォルトＢＷＰリソース位置の明示的または暗黙的な指示情報および指定されたＢＷＰの指示情報のうちの１つまたは複数を含むことを特徴とする請求項７または８に記載の端末。
【請求項１０】
ソースセルを介して端末にハンドオーバーコマンドを送信する送信モジュールであって、前記ハンドオーバーコマンドは、ネットワーク側のターゲットセルのアクセス帯域幅情報を含み、その結果、前記端末は、前記アクセス帯域幅情報に従って、前記ターゲットセルにアクセスするように構成された決定された部分帯域幅（ＢＷＰ）上でターゲットセルにアクセスする、送信モジュールと、
前記端末によって送信された前記ターゲットセルにアクセスするためのランダムアクセス要求を前記ＢＷＰを介して受信し、ランダムアクセスプロセスを完了して、前記端末を前記ソースセルから前記ターゲットセルにハンドオーバーすることができるようにする受信モジュールと
を備えることを特徴とするネットワーク側装置。
【請求項１１】
前記アクセス帯域幅情報は、
前記ターゲットセル内のセルレベルの同期信号ブロック（ＳＳＢ）が配置されているＢＷＰの情報であり、前記決定されたＢＷＰは、セルレベルのＳＳＢが配置されているＢＷＰであり、または、
前記端末によって構成された測定オブジェクトに関連するＳＳＢが配置されている前記ターゲットセルのＢＷＰの情報であり、前記測定オブジェクトは、ハンドオーバーをトリガーする測定レポートに対応する測定オブジェクトであり、前記決定されたＢＷＰは、前記端末によって構成された測定オブジェクトに関連するＳＳＢが配置されているＢＷＰであり、または、
前記ターゲットセル内のデフォルトＢＷＰの情報であり、前記決定されたＢＷＰは、デフォルトＢＷＰであり、または、
前記ターゲットセル内の指定されたＢＷＰの情報であり、前記決定されたＢＷＰは、前記ハンドオーバーコマンドで明示的に示されるＢＷＰであることを特徴とする請求項１０に記載のネットワーク側装置。
【請求項１２】
前記ハンドオーバーコマンドまたは前記アクセス帯域幅情報は、前記決定されたＢＷＰを示すための指示情報をさらに含み、前記指示情報は、前記ＢＷＰに対応するランダムアクセスリソース、ランダムアクセスアンブル、デフォルトＢＷＰリソース位置の明示的または暗黙的な指示情報および指定されたＢＷＰの指示情報のうちの１つまたは複数を含むことを特徴とする請求項１０または１１に記載のネットワーク側装置。
【請求項１３】
プロセッサが請求項１から６のいずれか一項に記載の方法を実行することを可能にするように構成されたコンピュータ実行可能コマンドを記憶する、コンピュータ可読記憶媒体。
【国際調査報告】
2021503846.tif 000009
2021503846.tif 000010
2021503846.tif 000011
2021503846.tif 000012